(57)【特許請求の範囲】
【請求項１】
発光素子を有する発光部と、赤外線センサ素子を有するセンサ部と、センサ部の出力に基づいて発光部へ供給する電力を制御することにより発光部を点灯および消灯させる制御手段を有する点灯装置と、発光部およびセンサ部を保持する器具本体とを備え、発光部から放射される可視光を透過させ且つ発光部からセンサ部に向かって輻射される赤外線を遮断する隔壁が、発光部とセンサ部との間に配置され、センサ部の検知エリアに干渉しない形状に形成され、発光部から放射される可視光を器具本体の外部に取り出すための開口部を有する器具本体と、器具本体の開口部を覆う形で配置された透光パネルとを備え、透光パネルが、発光部から放射される可視光を透過させ且つ発光部からセンサ部に向かって輻射される赤外線を遮断する材料で形成されてなり、隔壁が、透光パネルと連続一体に形成されてなることを特徴とする照明器具。
【請求項２】
板状に形成され且つ中央部に貫通孔が貫設された第１のベース基板と、板状に形成され且つ外形が前記貫通孔よりも小さく形成されるとともに前記貫通孔の内側に配置された第２のベース基板とを備え、第１のベース基板に前記発光部が取着され且つ第２のベース基板に前記センサ部が取着され、前記隔壁が、前記発光部から放射される可視光を透過させ且つ前記発光部から前記センサ部に向かって輻射される赤外線を遮断する材料により形成されるとともに、前記隔壁における第１のベース基板側および第２のベース基板側の端面から第１のベース基板側および第２のベース基板側に延出した複数の第１の脚片および複数の第２の脚片を有し、第１の脚片は、先端部に第１のベース基板の前記貫通孔の内周部に対向する側に突出した第１の爪片が形成されてなり、第２の脚片は、先端部に第２のベース基板の外周部に対向する側に突出した第２の爪片が形成されてなり、前記隔壁が、各第１の脚片および各第２の脚片を第１のベース基板と第２のベース基板との間に形成された隙間に挿入して第１の爪片を第１のベース基板の前記貫通孔の周部に係止させるとともに第２の爪片を第２のベース基板の外周部に係止させることで第１のベース基板に取着されるとともに第２のベース基板を保持することを特徴とする請求項１記載の照明器具。
【請求項３】
板状に形成されたベース基板を備え、ベース基板に前記発光部および前記センサ部が取着され、前記隔壁が、前記発光部から放射される可視光を透過させ且つ前記発光部から前記センサ部に向かって輻射される赤外線を遮断する材料により形成されるとともに、ベース基板側の端面からベース基板側に延出した複数の脚片を有し、各脚片は、先端部に爪片が形成されてなり、前記隔壁が、各脚片をベース基板における前記発光部と前記センサ部との間に設けられたスリットに挿入して爪片をスリットの周部に係止させることでベース基板に着脱自在に取着されることを特徴とする請求項１記載の照明器具。
【請求項４】
前記隔壁が、筒状に形成され且つ内側に前記センサ部が配置される筒状部と、筒状部に連続し且つ筒状部から離れるほど内径が拡径するコーン状に形成されたコーン状部とからなることを特徴とする請求項１乃至請求項３のいずれか１項に記載の照明器具。
【発明の詳細な説明】
【技術分野】
【０００１】
本発明は、発光素子を有する発光部と、赤外線センサ素子を有するセンサ部の出力に基づいて発光部を点灯および消灯させる点灯装置とを備える照明器具に関するものである。
【背景技術】
【０００２】
近年、照明器具の省エネルギ化の要請を受けて、低消費電力のＬＥＤ素子を用いた白色光源からなる発光部を備えた照明器具やランプ等が用いられるようになってきた。
【０００３】
また、建物内に設置される照明器具であって、焦電センサ等の赤外線センサ素子の出力に基づいて発光部を点灯および消灯させる点灯装置を備え、赤外線センサ素子の検知エリア内に人が不在で赤外線センサ素子からの出力がないときには発光部を自動的に消灯させることで消費電力の低減を可能とした照明器具が提供されている。
【０００４】
この種の照明器具として、従来から、図８に示すように、ＬＥＤ素子を用いた複数の発光部２’と、当該複数の発光部２’が実装されるとともに当該複数の発光部２’を直列に接続するための回路パターン（図示せず）が形成された回路基板５１’と、人体から放射される赤外線を検知する赤外線センサ素子からなるセンサ部３’と、センサ部３’およびセンサ部３’からの出力に基づいて後述の電源回路を制御するための制御回路（図示せず）が設けられた制御基板５２’と、回路基板５１’および制御基板５２’それぞれがリード線７’を介して接続され発光部２’に電力を供給する電源回路（図示せず）が設けられた電源基板５３’と、円板状に形成され且つ一表面側に回路基板５１’が取着されるとともに他表面側に制御基板５２’が取着されたベース基板１’と、外形が電球状に形成され且つ回路基板５１’および制御基板５２’が取着されたベース基板１’を前記一表面側を発光部２’からの光が出射する方向に向けた形で支持するとともに電源基板５３’をベース基板１’の前記他表面側に配置される形で支持する器具本体１０’とを備え、前記制御回路が、センサ部３’の出力に基づいて前記電源回路の出力を制御して前記電源回路から回路基板５１’への電流の供給および停止を行うことで、複数の発光部２’を点灯および消灯させる照明器具が提案されている（特許文献１参照）。ここにおいて、前記点灯回路、前記制御回路および前記電源回路から点灯装置が構成されている。
【０００５】
ここに、ベース基板１’は、中央部に一表面側へ突出する平面視円形状の突出部１ａ’が設けられた形状に形成されている。ベース基板１’の突出部１ａ’の先端面には、平面視円形状に開口し且つ内径が平面視円形状のセンサ部３’の外径よりも大きくなるように設定されたセンサ挿通孔（図示せず）が貫設されている。回路基板５１’の中央部には、ベース基板１’の突出部１ａ’を挿通させるための突出部挿通孔５１ａ’が開口しており、回路基板５１’は、突出部挿通孔５１ａ’にベース基板１’の突出部１ａ’を挿通させた形で、ベース基板１’の前記一表面側にシリコーンゴム等を用いた放熱部材５４’を介して取り付けられる。また、制御基板５２’は、センサ部３’を前記センサ挿通孔に挿入した形でベース基板１’の突出部１ａ’の他表面側に取り付けられる。なお、回路基板５１’は、取付ねじ５５’によりベース基板１’にねじ止めされており、回路基板５１’とベース基板１’との間に放熱部材５４’が挟持されている。
【０００６】
また、従来から、ＬＥＤ素子を有する発光部が実装された基板に発光部で発生する熱を放熱するヒートシンクを接続して発光部で発生した熱を放熱する照明器具が提案されている（特許文献２参照）。
【０００７】
更に、従来から、ＬＥＤ素子からなる発光素子と該発光素子に電気的に接続される複数の端子から構成された端子部とが１つの基板上に配設されるとともに、前記基板に前記発光素子と前記端子部とを熱的に分離するためのスリットを形成して、前記発光素子で発生し前記基板を介して前記端子部へ伝わる熱を遮断することで前記端子部の温度上昇を抑制する照明器具が提案されている（特許文献３参照）。
【先行技術文献】
【特許文献】
【０００８】
【特許文献１】特開２００１−３２５８１０号公報
【特許文献２】特開２００４−１７９０４８号公報
【特許文献３】特開２００９−９８４６号公報
【発明の概要】
【発明が解決しようとする課題】
【０００９】
ところで、特許文献２，３に記載された照明器具の放熱対策に見られるように、一般的に、ＬＥＤ素子からなる発光部の発熱量は大きく、発光部から輻射される赤外線の量は大きい。従って、図８に示す構成の照明器具のように、センサ部３’の周囲を取り囲むように複数の発光部２’が配設されている場合、複数の発光部２’から輻射される赤外線によりセンサ部３’が熱せられセンサ部３’の温度が上昇してしまう。また、センサ部３’が人体から放射される赤外線を検知する赤外線センサ素子からなる場合、発光部２’の点滅に伴って発光部２’から輻射される赤外線の量の変化に起因してセンサ部３’の出力に外乱ノイズが発生して、前記制御回路が照明器具を誤動作させるおそれがある。
【００１０】
本願発明は、上記事由に鑑みてなされたものであり、その目的は、発光部および赤外線を検出するセンサ部が内部に配置された器具本体を備え、センサ部の温度上昇を抑制するとともに発光部の点滅に伴う赤外線の変化に起因してセンサ部の出力に外乱ノイズが発生するのを抑制して誤動作を低減できる照明器具を提供することにある。
【課題を解決するための手段】
【００１１】
請求項１の発明は、発光素子を有する発光部と、赤外線センサ素子を有するセンサ部と、センサ部の出力に基づいて発光部へ供給する電力を制御することにより発光部を点灯および消灯させる制御手段を有する点灯装置と、発光部およびセンサ部を保持する器具本体とを備え、発光部から放射される可視光を透過させ且つ発光部からセンサ部に向かって輻射される赤外線を遮断する隔壁が、発光部とセンサ部との間に配置され、センサ部の検知エリアに干渉しない形状に形成され、発光部から放射される可視光を器具本体の外部に取り出すための開口部を有する器具本体と、器具本体の開口部を覆う形で配置された透光パネルとを備え、透光パネルが、発光部から放射される可視光を透過させ且つ発光部からセンサ部に向かって輻射される赤外線を遮断する材料で形成されてなり、隔壁が、透光パネルと連続一体に形成されてなることを特徴とする。
【００１２】
この発明によれば、発光部からセンサ部に向かって輻射される赤外線を遮断する隔壁が、発光部とセンサ部との間に配置されていることにより、隔壁が、発光部から輻射される赤外線を遮断するので、発光部からセンサ部に向かって輻射される赤外線によるセンサ部の温度上昇を抑制するとともに発光部の点滅に伴い発光部からセンサ部に向かって輻射される赤外線の量の変化に起因してセンサ部の出力に外乱ノイズが発生するのを抑制できるから、照明器具の誤動作を抑制できる。また、隔壁が発光部から放射される可視光を透過させるので、発光部から放射される可視光の利用効率の低下を抑制できる。また、隔壁がセンサ部の検知エリアに干渉しない形状に形成されていることにより、外部からセンサ部に入射する赤外線の一部が隔壁により遮られることがないので、隔壁によってセンサ部の検知エリアが縮小されるのを抑制することができる。
【００１４】
また、この発明によれば、発光部から放射される可視光を外部に取り出すための開口部を有する器具本体と、器具本体の開口部を覆う形で配置された透光パネルを備え、透光パネルが、発光部から放射される可視光を透過させ且つ発光部からセンサ部に向かって輻射される赤外線を遮断する材料で形成されてなり、隔壁が、透光パネルと連続一体に形成されてなることにより、隔壁と透光パネルとが別体である場合に比べて部品点数を削減することができるので、組立性の向上およびコスト低減を図ることができる。
【００１５】
請求項２の発明は、請求項１の発明において、板状に形成され且つ中央部に貫通孔が貫設された第１のベース基板と、板状に形成され且つ外形が前記貫通孔よりも小さく形成されるとともに前記貫通孔の内側に配置された第２のベース基板とを備え、第１のベース基板に前記発光部が取着され且つ第２のベース基板に前記センサ部が取着され、前記隔壁が、前記発光部から放射される可視光を透過させ且つ前記発光部から前記センサ部に向かって輻射される赤外線を遮断する材料により形成されるとともに、前記隔壁における第１のベース基板側および第２のベース基板側の端面から第１のベース基板側および第２のベース基板側に延出した複数の第１の脚片および複数の第２の脚片を有し、第１の脚片は、先端部に第１のベース基板の前記貫通孔の内周部に対向する側に突出した第１の爪片が形成されてなり、第２の脚片は、先端部に第２のベース基板の外周部に対向する側に突出した第２の爪片が形成されてなり、前記隔壁が、各第１の脚片および各第２の脚片を第１のベース基板と第２のベース基板との間に形成された隙間に挿入して第１の爪片を第１のベース基板の前記貫通孔の周部に係止させるとともに第２の爪片を第２のベース基板の外周部に係止させることで第１のベース基板に取着されるとともに第２のベース基板を保持することを特徴とする。
【００１６】
この発明によれば、板状に形成され且つ中央部に貫通孔が貫設された第１のベース基板と、板状に形成され且つ外形が前記貫通孔よりも小さく形成されるとともに前記貫通孔の内側に配置された第２のベース基板とを備え、第１のベース基板に前記発光部が取着され且つ第２のベース基板に前記センサ部が取着され、第１のベース基板と第２のベース基板との間に隙間が形成されていることにより、前記発光部および前記センサ部が同一のベース基板に配設されている場合に比べて、前記発光部から前記センサ部に伝達する熱を低減することができるので、前記センサ部の温度上昇を抑制することができる。
【００１７】
請求項３の発明は、請求項１の発明において、板状に形成されたベース基板を備え、ベース基板に前記発光部および前記センサ部が取着され、前記隔壁が、前記発光部から放射される可視光を透過させ且つ前記発光部から前記センサ部に向かって輻射される赤外線を遮断する材料により形成されるとともに、ベース基板側の端面からベース基板側に延出した複数の脚片を有し、各脚片は、先端部に爪片が形成されてなり、前記隔壁が、各脚片をベース基板における前記発光部と前記センサ部との間に設けられたスリットに挿入して爪片をスリットの周部に係止させることでベース基板に着脱自在に取着されることを特徴とする。
【００１８】
この発明によれば、板状に形成されたベース基板を備え、ベース基板に前記発光部および前記センサ部が取着され、前記隔壁が、前記発光部から放射される可視光を透過させ且つ前記発光部から前記センサ部に向かって輻射される赤外線を遮断する材料により形成されるとともに、ベース基板側の端面からベース基板側に延出した複数の脚片を有し、各脚片は、先端部に爪片が形成されてなり、前記隔壁が、各脚片を前記発光部と前記センサ部との間に設けられたスリットに挿入して爪片をスリットの周部に係止させることでベース基板に着脱自在に取着されることにより、前記発光部で発生した熱がベース基板を介して前記センサ部に伝達するのを抑制できるので、前記センサ部の温度上昇を抑制することができるとともに、前記隔壁が、ベース基板に着脱自在に取着されているので、請求項３の発明に比べて組立性を向上させることができる。
【００１９】
請求項４の発明は、請求項１乃至請求項３の発明において、前記隔壁が、筒状に形成され且つ内側に前記センサ部が配置される筒状部と、筒状部に連続し且つ筒状部から離れるほど内径が拡径するコーン状に形成されたコーン状部とからなることを特徴とする。
【００２０】
この発明によれば、前記隔壁が、筒状に形成され且つ内側に前記センサ部が配置される筒状部と、筒状部に連続し且つ筒状部から離れるほど内径が拡径するコーン状に形成されたコーン状部とからなることにより、前記隔壁における筒状部の外径を小さくしても前記センサ部の検知エリアの一部が前記隔壁によって遮られないように設定しながら、前記隔壁における筒状部の外径を小さくして前記発光部と前記センサ部との間の距離を小さくすることができるので、前記センサ部の検知エリアの広さを維持しつつ照明器具の小型化を図ることができる。
【発明の効果】
【００２１】
請求項１の発明によれば、隔壁が発光部から放射される赤外線を遮断するので、赤外線によるセンサ部の温度上昇を抑制するとともに発光部の点滅に伴う発光部からセンサ部に向かって輻射される赤外線の量の変化に起因してセンサ部の出力に外乱ノイズが発生するのを抑制できるから、制御手段が照明器具を誤動作させることを抑制できる。また、隔壁が発光部から放射される可視光を透過させるので、発光部から放射される可視光の利用効率の低下を抑制できる。また、隔壁がセンサ部の検知エリアに干渉しない形状に形成されていることにより、外部からセンサ部に入射する赤外線の一部が隔壁により遮られることがないので、検知エリアが縮小されるのを抑制することができる。
【図面の簡単な説明】
【００２２】
【図１】実施形態１の照明器具の一部破断した側面図である。
【図２】同上の照明器具の概略斜視図である。
【図３】同上の照明器具を示し、（ａ）は概略断面図、（ｂ）は要部概略平面図である。
【図４】同上の照明器具の他の実施例の概略断面図である。
【図５】実施形態２の照明器具の概略断面図である。
【図６】実施形態３の照明器具を示し、（ａ）は要部概略平面図、（ｂ）は概略断面図、（ｃ）は他の実施例の要部概略平面図、（ｃ）は他の実施例の概略断面図である。
【図７】実施形態４の照明器具を示し、（ａ）は概略断面図、（ｂ）は要部概略平面図である。
【図８】従来例の照明装置の分解斜視図である。
【発明を実施するための形態】
【００２３】
（実施形態１）
本実施形態について図１乃至図４に基づいて説明する。
【００２４】
本実施形態の照明器具は、天井埋め込み型ＬＥＤ照明器具であり、ＬＥＤチップを用いた発光素子であるＬＥＤ素子（図示せず）からなる複数（図３に示す例では６つ）の発光部２と、人体から放射される赤外線を検知する赤外線センサ素子を有するセンサ部３（図３参照）と、センサ部３の出力に基づいて発光部２へ供給する電力を制御することにより発光部２を点灯および消灯させる制御手段である後述の制御回路部（図示せず）を有する点灯装置（図示せず）と、発光部２およびセンサ部３が内部に配置される器具本体１０とを備える。また、本実施形態の照明器具は、平面視円形の板状に形成され且つ発光部２およびセンサ部３が一表面側に取り付けられたプリント基板からなるベース基板１と、発光部２から放射される可視光を透過する透光性材料（例えば、アクリル樹脂など）により円板状に形成された透光パネル３１とを備える。なお、透光パネル３１は、透光パネル３１を透過する光が指向性を持つように表面がプリズム状に加工されたものであってもよい。
【００２５】
図３（ｂ）に示すように、複数の発光部２は、照明器具からの光の配光を考慮して、平面視円形状のベース基板１の中心部に配置されたセンサ部３の周囲を囲む１つの円周方向において等間隔で配設されている。また、ベース基板１の他表面側には、放熱用金属板２１が固着されている。
【００２６】
発光部２は、ＬＥＤチップと、前記ＬＥＤチップが実装される実装基板（図示せず）と、前記ＬＥＤチップから放射された光の配光を制御するドーム状に形成され前記実装基板との間に前記ＬＥＤチップを収納する形で前記実装基板の一面側に固着された透光性材料からなる光学部材（図示せず）と、前記光学部材と前記実装基板とで囲まれた空間で前記ＬＥＤチップおよび前記ＬＥＤチップに電気的に接続されたボンディングワイヤ（図示せず）を封止した透光性材料（例えば、シリコーン樹脂、エポキシ樹脂、ガラスなど）からなる封止部（図示せず）と、前記実装基板の前記一面側から前記光学部材を覆う形で配設され前記ＬＥＤチップから放射され前記封止部および前記光学部材を透過した光によって励起され前記ＬＥＤチップとは異なる色の光を放射する蛍光体を分散した透光性材料によりドーム状に形成された色変換部材（図示せず）とを備えている。また、前記色変換部材と前記光学部材の表面との間には、空気層（図示せず）が設けられている。前記空気層は、前記色変換部材内で蛍光体により前記光学部材側へ散乱される光および蛍光体から発する光が前記光学部材を透過し前記実装基板等に吸収されるのを抑制して、発光部２の光の取り出し効率を向上させる役割をする。ここに、前記ＬＥＤチップとして、青色光を放射するＧａＮ系青色ＬＥＤチップが用いられ、前記色変換部材に分散させる蛍光体としては黄色蛍光体が用いられており、発光部２からは白色光が放射される。なお、発光部２は、これに限らず、例えば、前記ＬＥＤチップとして、紫外光を放射する紫外ＬＥＤチップを用い、前記色変換部材に分散させる蛍光体として赤色蛍光体、緑色蛍光体および青色蛍光体を用いたものであってもよい。また、前記色変換部材の代わりに蛍光体を含有しない透光性部材（図示せず）を用い、前記ＬＥＤチップとして、赤色ＬＥＤチップ、緑色ＬＥＤチップおよび青色ＬＥＤチップを用いたものであってもよい。
【００２７】
また、センサ部３は、前記赤外線センサ素子として、例えば、焦電型センサ素子を使用している。
【００２８】
器具本体１０は、図１および図２に示すように、円筒状の筐体１２と、複数の放熱フィン１１ａが設けられ且つ取付ねじ（図示せず）により筐体１２に取り付けられた放熱ブロック１１とから構成される。また、筐体１２の外側には、器具本体１０を天井材Ｃ（図２参照）に取り付けるための複数（図１および図２に示す例では、２つ）の取付ばね１４が設けられている。ここで、器具本体１０の一部を構成する筐体１２における放熱ブロック１１側とは反対側が、発光部２から放射される可視光を外部に取り出すための開口部１０ａを構成する。
【００２９】
筐体１２は、下端部の外周全体から外方に延出した外鍔部１２ａを有する。また、筐体１２の内面には、筐体１２の中心軸方向における中央部に全周に亘って段部１２ｂが形成されるとともに、前記中心軸方向における下端部に全周に亘って溝部１２ｃが形成されている。ここに、溝部１２ｃは、周方向における複数箇所に切欠部（図示せず）が形成されている。筐体１２の内部には、筐体１２の上端側から挿入され一表面側における外周部が段部１２ｂに当接した形でベース基板１が配置されている。また、筐体１２の内部におけるベース基板１の他表面側には、発光部２で発生した熱を放熱するための放熱用部材である放熱用樹脂シート２２が配置されている。ここで、放熱ブロック１１に筐体１２を前記取付ねじにより取着すると同時に、放熱ブロック１１が放熱用樹脂シート２２を介してベース基板１の外周部を筐体１２の段部１２ｂに押し付ける形で、ベース基板１が筐体１２の内部に固定される。ここに、放熱用樹脂シート２２は、下面側がベース基板１の放熱用金属板２１に接触するとともに上面側が放熱ブロック１１に接触する。しかして、発光部２で発生した熱は、放熱用金属板２１、放熱用樹脂シート２２および放熱フィン１１ａが設けられた放熱ブロック１１を介して外部に放熱される。なお、放熱用樹脂シート２２としては、例えば、エポキシ樹脂中に無機フィラーを高密度充填してなるシート状の封止材を使用することができる。
【００３０】
また、筐体１２には、円板状に形成された透光パネル３１が取り付けられている。透光パネル３１は、外周部の複数箇所に遠心方向に突出する突出部（図示せず）が設けられており、当該突出部を上述の溝部１２ｃの複数箇所に形成された前記切欠部から挿入した後に透光パネル３１を周方向に回転させることで外周部が溝部１２ｃに嵌合する。なお、透光パネル３１は、指向性を持つように表面がプリズム状に加工されたものであってもよい。
【００３１】
前記点灯装置は、器具本体１０の外部に設けられており、商用電源（図示せず）から供給される交流電力を整流した後に平滑化して直流電流を出力する整流平滑部（図示せず）と、発光部２に一定の大きさの電流を供給するための定電流電源部（図示せず）と、センサ部３に電気的に接続されセンサ部３の出力に基づいて前記定電流電源部から発光部２へ供給される電力を制御する前記制御手段である前記制御回路部と、前記制御回路部に電力を供給するための制御電源部（図示せず）とを備える。
【００３２】
ベース基板１は、外周部が筐体１２の段部１２ｂに当接した形で筐体１２の内部に配置されている。また、ベース基板１には、発光部２やセンサ部３に電力を供給するための電源線２３と、センサ部３と前記制御回路部とを電気的に接続するための信号線（図示せず）が接続されている。電源線２３は放熱ブロック１１に設けられた電源線挿通孔（図示せず）を通して、器具本体１０の外部に引出され、前記信号線は放熱ブロック１１に設けられた信号線挿通孔（図示せず）を通して、器具本体１０の外部に引出されている。ここで、前記点灯装置の前記定電流電源部と発光部２とは、電源線２３およびベース基板１に形成された配線パターン（図示せず）を介して電気的に接続されている。また、前記点灯装置の前記制御回路部とセンサ部３とは、信号線（図示せず）およびベース基板に形成された配線パターン（図示せず）を介して電気的に接続されている。
【００３３】
本実施形態の照明器具は、天井材Ｃ（図２参照）に貫設された平面視円形状の取付孔Ｃ１の内側に配置される。本実施形態の照明器具では、取付ばね１４を器具本体１０の側面に向かって（図２の矢印Ｄ１参照）押し倒した状態で取付孔Ｃ１に挿入し（図２の矢印Ｄ２参照）、更に、筐体１２の外鍔部１２ａが天井材Ｃの取付孔Ｃ１の周部下面に当接するまで取付孔Ｃ１の奥側に押し込むと、取付ばね１４が器具本体１０から離れる方向に開く。ここで、取付ばね１４の一部が天井材Ｃの取付孔Ｃ１の周部上面に弾接し、筐体１２の外鍔部１２ａと取付ばね１４の一部とで天井材Ｃを挟持する形で器具本体１０が天井材Ｃに取り付けられる。つまり、図１および図２に示す構成の照明器具は、筐体１２の外鍔部１２ａと取付ばね１４とで天井材Ｃを挟持することにより、器具本体１０を天井材Ｃに取り付ける構造となっている。また、照明器具に電力を供給するための電源装置（図示せず）は、照明器具とは別に設置されている。
【００３４】
ところで、本実施形態の照明器具では、発光部２から放射される可視光の透過率が高く且つ発光部２からセンサ部３に向かって輻射される赤外線の透過率が低く当該赤外線を遮断する材料（例えば、アクリル樹脂など）により角筒状に形成された隔壁４１が、ベース基板１の前記一表面側においてセンサ部３の周囲を囲む形で、発光部２とセンサ部３との間に配置されている。
【００３５】
しかして、隔壁４１が、発光部２からセンサ部３に向かって輻射される赤外線を略遮断するので、発光部２からセンサ部３に向かって輻射される赤外線によるセンサ部３の温度上昇を抑制するとともに発光部２の点滅に伴う前記赤外線の量の変化に起因してセンサ部３の出力に外乱ノイズが発生するのを抑制できるから、照明器具の誤動作を低減することができる。また、隔壁４１が発光部２から放射される可視光を透過させるので、発光部２から放射される可視光の利用効率の低下を抑制できる。
【００３６】
また、隔壁４１は、図３（ａ）に示すように、ベース基板１の前記一表面上からの高さがセンサ部３の検知エリアに干渉しない高さとなるように形成されている。即ち、赤外線センサ素子の受光面（図示せず）の中心を通り当該受光面を含む平面の法線とのなす角度が最も大きい赤外線の入射方向と前記法線とのなす角度を検出角度と定義すると、センサ部３が有する赤外線センサ素子が検出しうる赤外線のうち、赤外線センサ素子への入射方向と前記法線とのなす角度が前記検出角度よりも小さい赤外線を阻害しないように設定されている。即ち、隔壁４１の高さが、センサ部２の検知エリアに干渉しないように設定されている。
【００３７】
しかして、外部からセンサ部３に入射する赤外線の一部が隔壁４１により遮られることがないので（図３（ａ）の一点鎖線参照）、隔壁４１によってセンサ部３の検知エリアが縮小されるのを抑制することができる。
【００３８】
なお、本実施形態の照明器具は、図４に示すように、センサ部３の前面側に赤外線集光用のレンズ４２が設けられたものであってもよい。この場合、センサ部３の検知エリアを拡大できるという利点がある。
【００３９】
図４に示す構成の照明器具では、隔壁４１におけるベース基板１側とは反対側の端部に段部４１ａが設けられ且つ当該段部４１ａの内側にレンズ取付孔（図示せず）が穿設されている。一方、レンズ４２の外周部には、突起（図示せず）が突設されており、レンズ４２を段部４１ａに嵌め込むと前記突起が前記レンズ取付孔に係合して、レンズ４２が隔壁４１に固定される。また、製造時において、レンズ４２を取り付けるための取付部材（図示せず）を用いる必要がないので、組立性の向上を図ることができる。なお、レンズ４２は、接着材で隔壁４１に固着してもよい。
【００４０】
（実施形態２）
本実施形態の照明器具は、図５に示すように、実施形態１と同様に、器具本体１０が発光部２から放射される可視光を外部に取り出すための開口部１０ａを有し、開口部１０ａを覆う形で透光パネル３２ａが配置されている。一方、本実施形態の照明器具では、隔壁４１が、透光パネル３２ａと連続一体に形成されている点が実施形態１とは相違する。なお、実施形態１と同様の構成については同一の符号を付して説明を省略する。
【００４１】
透光パネル３２ａは、円板状に形成され且つ中央部に貫通孔３２ｃが貫設されており、隔壁４１は、透光パネル３２ａの貫通孔３２ｃの周部と連続一体に形成され透光パネル３２ａの厚み方向の一表面側に突出している。ここに、透光パネル３２ａおよび隔壁４１は、発光部２から放射される可視光の透過率が高く且つ発光部２からセンサ部３に向かって輻射される赤外線の透過率が低い材料（例えば、アクリル樹脂やガラス等）で形成されている。また、隔壁４１におけるベース基板１側とは反対側の端部には、段部３２ｄが形成されており、当該段部３２ｄには、赤外線集光用のレンズ４２が取り付けられている。
【００４２】
しかして、実施形態１のように隔壁４１と透光パネル３１とが別体である場合に比べて、部品点数を削減することができるので、組立性を向上させることができる。
【００４３】
なお、本実施形態では、図５に示すように、隔壁４１の全部が、透光パネル３２の一部から構成されている例について説明したが、これに限定されるものではなく、例えば、隔壁４１が、透光パネル３２の一部と器具本体１０の一部とから構成されるものであってもよい。
【００４４】
（実施形態３）
本実施形態の照明器具は、図６（ａ）に示すように、円板状に形成され且つ中央部に貫通孔１ａａが貫設された第１のベース基板１ａと、円板状に形成され且つ外形が貫通孔１ａａよりも小さく形成されるとともに貫通孔１ａａの内側に配置された第２のベース基板１ｂとを備え、第１のベース基板１ａに発光部２が取着され且つ第２のベース基板１ｂにセンサ部３が取着され、隔壁４１が、第２のベース基板１ｂを保持するとともに第１のベース基板１ａに取着される点が実施形態１と相違する。なお、実施形態１と同様の構成については同一の符号を付して説明を省略する。
【００４５】
ここで、図６（ｂ）に示すように、隔壁４１は、発光部２から放射される可視光の透過率が高く且つ発光部２からセンサ部３に向かって輻射される赤外線の透過率が低い材料（例えば、アクリル樹脂）により形成されるとともに、第１のベース基板１ａ側および第２のベース基板１ｂ側の端面から第１のベース基板１ａ側および第２のベース基板１ｂ側に延出した複数の第１の脚片４３ｂ１および複数の第２の脚片４３ｂ２を有している。また、第１の脚片４３ｂ１の先端部には、第１のベース基板１ａの貫通孔１ａａの内周部に対向する側に突出した第１の爪片４３ｃ１が形成されており、第２の脚片４３ｂ２の先端部には、第２のベース基板１ｂの外周部に対向する側に突出した第２の爪片４３ｃ２が形成されており、隔壁４１は、各第１の脚片４３ｂ１および各第２の脚片４３ｂ２を隙間１ｃに挿入して第１の爪片４３ｃ１を第１のベース基板１ａの貫通孔１ａａの内周部に係止させるとともに第２の爪片４３ｃ２を第２のベース基板１ｂの外周部に係止させることで第２のベース基板１ｂを保持するとともに第１のベース基板１ａに取着される。また、本実施形態の照明器具では、図６（ａ），（ｂ）に示すように、センサ部３が平面視円形状に形成されている。
【００４６】
しかして、第１のベース基板１ａと第２のベース基板１ｂとの間に隙間１ｃが形成されていることにより、発光部２とセンサ部３とが同一のベース基板１上に取着されている実施形態１および実施形態２で説明した照明器具に比べて、発光部２で発生しベース基板１ａおよび第２のベース基板１ｂを介してセンサ部３に伝導する熱を低減することができるので、センサ部３の温度上昇を抑制することができる。
【００４７】
また、本実施形態の照明器具では、図６（ｃ），（ｄ）に示すように、発光部２とセンサ部３とが同一のベース基板１の一表面側に配設され、ベース基板１における発光部２とセンサ部３との間に複数のスリット１ｄ（図６（ｃ）に示す例では、３つ）が設けられ、隔壁４１が、発光部２から放射される可視光を透過させ且つ発光部２からセンサ部３に向かって輻射される赤外線を遮断する材料により形成されるとともに、ベース基板１側の端面からベース基板１側に延出した脚片４３ｂを有し、脚片４３ｂの先端部には、爪片４３ｃが形成されており、脚片４３ｂをスリット１ｄに挿入して爪片４３ｃをスリット１ｄの周部に係止させることでベース基板１に着脱自在に取着されるものであってもよい。
【００４８】
しかして、隔壁４１が、ベース基板１に着脱自在に取着されているので、組立性を向上させることができる。
【００４９】
なお、本実施形態では、隔壁４１と透光パネル３１とが別部材からなる例について説明したが、これに限定されるものではなく、例えば、実施形態２のように、隔壁４１と透光パネル３１とが連続一体に形成されてなるものであってもよい。
【００５０】
（実施形態４）
本実施形態の照明器具は、図７に示すように、円筒状に形成され且つ内側にセンサ部３が配置される円筒状部４４ａと、円筒状部４４ａにおけるベース基板１に接続された一端側とは反対側の他端側に連続し且つベース基板１から離れるほど内径が拡径するコーン状に形成されたコーン状部４４ｂとから構成された隔壁４１を備える点が実施形態１と相違する。なお、実施形態１と同様の構成については同一の符号を付して説明を省略する。
【００５１】
ここで、隔壁４１におけるコーン状部４４ｂが、ベース基板１から離れるほど拡径する形状に形成されていることにより、隔壁４１における円筒状部４４ａの外径を小さくしてもセンサ部３の検知エリアの一部が隔壁４１によって遮られることがないように設定することができる（図７の一点鎖線参照）。
【００５２】
従って、隔壁４１がセンサ部３の検出エリアの一部を遮らないようにしながら隔壁４１における円筒状部４４ａの外径を小さくして発光部２とセンサ部３との間の距離を小さくしてベース基板１の外形寸法を小さくすることができるので、センサ部３の検知エリアの広さを維持しつつ照明器具の小型化を図ることができる。
【００５３】
なお、本実施形態では、隔壁４１と透光パネル３１とが別部材からなる照明器具の例について説明したが、これに限定されるものではなく、例えば、隔壁４１と透光パネル３１とが連続一体に形成されたものであってもよい。或いは、隔壁４１におけるコーン状部４４ｂと透光パネル３１とが連続一体に形成されるとともに、隔壁４１における円筒状部４４ａと器具本体１０とが連続一体に形成されてなるものであってもよい。
【００５４】
また、本実施形態では、実施形態３で説明した照明器具と同様に、円板状に形成され且つ中央部に貫通孔（図示せず）が貫設された第１のベース基板（図示せず）と、円板状に形成され且つ外形が前記貫通孔よりも小さく形成されるとともに前記貫通孔の内側に配置された第２のベース基板（図示せず）とを備え、前記第１のベース基板に発光部２が取着され且つ前記第２のベース基板にセンサ部３が取着され、隔壁４１が、前記第１のベース基板に取着されるとともに前記第２のベース基板を保持する構成の照明器具であってもよい。或るいは、実施形態３で説明した照明器具と同様に、発光部２とセンサ部３とが同一のベース基板１の一表面側に配設され、ベース基板１における発光部２とセンサ部３との間に複数のスリット（図示せず）が設けられ、隔壁４１が、円筒状部４４ａにおけるベース基板１側の端面からベース基板１側に延出した脚片（図示せず）を有し、当該脚片の先端部には、爪片（図示せず）が形成されており、前記脚片を前記スリットに挿入して前記爪片を前記スリットの周部に係止させることでベース基板１に着脱自在に取着される構成の照明器具であってもよい。
【符号の説明】
【００５５】
１  ベース基板
１ａ  第１のベース基板
１ａａ  貫通孔
１ｂ  第２のベース基板
１ｃ  隙間
１ｄ  スリット
２  発光部
３  センサ部
１０  器具本体
１０ａ  開口部
３１，３２ａ  透光パネル
４１  隔壁
４３ｂ  脚片
４３ｂ１  第１の脚片
４３ｂ２  第２の脚片
４３ｃ  爪片
４３ｃ１  第１の爪片
４３ｃ２  第２の爪片
４４ａ  円筒状部（筒状部）
４４ｂ  コーン状部
【図１】
0005480551.tif 000002
【図２】
0005480551.tif 000003
【図３】
0005480551.tif 000004
【図４】
0005480551.tif 000005
【図５】
0005480551.tif 000006
【図６】
0005480551.tif 000007
【図７】
0005480551.tif 000008
【図８】
0005480551.tif 000009